(57)【要約】【課題】  通常の使用の外に、土木・建築工事など特殊な作業現場でも、動作性及び安全性に優れて簡便に適応させることのできる作業用ズボンの提供。【解決手段】  ズボン本体の膝巾寸法を一般より少し大きめの凡そ２３ｃｍ〜２５ｃｍとなし、内股側裾部に裾口から高さ寸法を凡そ１６ｃｍ〜２０ｃｍのスリットを設け、その内部に襞布を設けると共に、このスリットを閉じるファスナーを設け、このファスナーを閉めた状態での裾巾寸法を凡そ１３ｃｍ〜１５ｃｍとする。【選択図】    図１
0003102216.tif 000002
【実用新案登録請求の範囲】
【請求項１】
ズボン本体は、膝巾寸法が凡そ２３ｃｍ〜２５ｃｍの筒部を形成され、内股側裾部に裾口から高さ寸法凡そ１６ｃｍ〜２０ｃｍのスリットを設け、その内部に襞布を設けると共に、上記スリットを閉じるためのファスナーを設け、該ファスナーを閉じた状態における裾巾寸法を凡そ１３ｃｍ〜１５ｃｍとなしてあることを特徴とする作業用ズボン。
【請求項２】
襞布は、裾口側巾寸法を凡そ８ｃｍ〜１３ｃｍとなしたデルタ体に形成されていることを特徴とする請求項１記載の作業用ズボン。
【請求項３】
襞布が、ズボン本体とは彩色が異なる生地で形成されていることを特徴とする請求項２に記載の作業用ズボン。
【請求項４】
襞布が、メッシュ生地であることを特徴とする請求項２記載の作業用ズボン。
【考案の詳細な説明】
【技術分野】
【０００１】
本考案は、作業用ズボンに関するものであり、詳しくは、土木・建築工事現場や事務所内などの作業場所に応じて着用時の形状を容易に変更することができる作業用ズボンに関する。
【背景技術】
【０００２】
従来より、土木工事や建築工事に従事する作業員や、高所で作業をする植木職人などが作業現場で着用するズボンは、動作性及び安全面の点から、全体的に幅広の筒部に形成され、該筒部のズボン外脇線に沿って脹ら脛辺りから裾口に架けてファスナーや面ファスナーが設けられ、これらを閉じることにより裾部を絞り込むようになされた特殊な形状をしている。そのため、普段の着用には不向きで、通常は土木・建築工事現場用として使い分けて着用されている。
しかしながら、事務所内で作業をする一般的な作業用ズボンを着用したものが、そのまま工事現場などに入る場合には、ズボンの裾部を靴下や靴などの中に入れ、ズボンの裾口が作業の邪魔にならないようにすることで、安全性の確保に対応している。この場合、見栄えが悪い上、挿入した裾部によるごわつき感は否めず、また元に戻した際にもズボン裾部に不自然な皺が生じたりすることから、外観が著しく損なわれることがあった。
【０００３】
一方、比較的細い筒部からなるズボンの後身頃中心の後折目線に沿って、脛よりも上位から下方へ裾口に至るまで比較的長い割りを設けると共に、該部にファスナー及び襞布を設けて、座位や足（主として膝部）の湾曲、屈曲させなければならない作業を、ファスナーを開けて着用することにより楽に行えるようになしたものが提案されている。
【特許文献１】実開平２−１３１５１３号公報
【特許文献２】実用新案登録第３０１２３０５号公報
【考案の開示】
【考案が解決しようとする課題】
【０００４】
解決しようとする問題点は、一般的な形状のズボンを土木・建築工事現場において着用するさいには、裾部が地上の資材などに触れて引っ掛かったりするトラブルが生じることにある。
そこで、本考案の目的とするところは、通常の使用の外に、土木・建築工事など特殊な作業現場でも、動作性、安全性に優れて簡便に適応させることのできる作業用ズボンを提供することにある。
【課題を解決するための手段】
【０００５】
本考案の作業用ズボンは、とりわけ動作性を良くするために、ズボン本体の膝巾寸法を一般用よりも少し大きめ、即ち、凡そ２３ｃｍ〜２５ｃｍとなして膝部にゆとりをもたせ、また安全性を良くするために、内股側裾部に裾口から高さ寸法を凡そ１６ｃｍ〜２０ｃｍのスリットを設け、その内部に襞布を設けると共に、該スリットを閉じるファスナーを設け、このファスナーを閉めた状態での裾巾寸法を凡そ１３ｃｍ〜１５ｃｍとなして足首にフィットするようになす。
【０００６】
また、スリット内部に設ける襞布を裾口側巾寸法が凡そ８ｃｍ〜１３ｃｍのデルタ体となし、ファスナーを開けた状態で通常のズボンと同様の着こなしができるようになす。
【０００７】
この際、上記襞布に異なる彩色の布地を用いたり、メッシュ生地など異素材の布地を用いることにより、デザイン性を付与したり、機能性を向上させたりする。
【考案の効果】
【０００８】
本考案の作業用ズボンは、内股側裾部に設けたファスナーを開閉することにより、土木・建築工事や植木職人が着用するのに好適な作業用ズボンと、普段に着用可能な通常形態のズボンとに簡便に着分けることができる。また、内股側裾部にファスナーを設けたことから、外観がすっきりしたものとなり、また、作業中や歩行中にファスナー部が引っ掛かることがなくなって危険防止が可能となる。
【０００９】
また、襞布に彩色の異なる布地を使用することにより、意匠的効果をもたらしバリエーションを豊富にすることができる。また、襞布にメッシュ生地を用いることにより、通気性を良くして夏場に於ける着用を快適にすることもできる。
【考案を実施するための最良の形態】
【００１０】
通常の一般的なズボンと土木・建築工事用などの特殊な作業用ズボンを、一着のズボンで簡便に着分けられるようにするという目的を、ズボン本体の膝部にゆとりをもたせると共に、裾部へ裾巾寸法を拡縮可能となす襞布付きファスナー部を設けることにより実現した。
以下、本考案に係る作業用ズボンの実施の形態を図面を参照にして説明する。
【実施例１】
【００１１】
図１は、本考案に係る作業用ズボンの正面図であり、図２は、該作業用ズボンの要部の使用状態を示すものであって、Ａは裾部に設けられたファスナーを閉じた場合の状態説明図、Ｂは該ファスナーを開放した場合の状態説明図である。
図において、１はズボン本体、２は該ズボン本体１の内股側裾部に設けられたファスナーである。
【００１２】
ズボン本体１は、膝巾寸法Ｗ１を凡そ２３ｃｍ〜２５ｃｍとなした膝部にゆとりのある筒部３を有しており、その裾巾寸法を上記ファスナー２の開閉により拡縮可能になしてある。この際、ファスナー２を閉じた状態における裾巾寸法Ｗ２は、凡そ１３ｃｍ〜１５ｃｍであり、また、ファスナー２を開いた状態における裾巾寸法Ｗ３は、上記膝巾寸法Ｗ１に応じて凡そ１６ｃｍ〜２０ｃｍになされるものとなしてある。
【００１３】
上記ファスナー２は、ズボン本体１の内股側裾部へ裾口からスリット４を形成し、該スリット４にこれを開閉するように取り付けられている。スリット４は、高さ寸法Ｈを凡そ１６ｃｍ〜２０ｃｍに形成させるものとなし、その内側には別生地からなる襞布５が取り付けられている。
【００１４】
襞布５は、任意に設計されるが、通常、裾口側巾寸法を凡そ８ｃｍ〜１３ｃｍとしたデルタ体に形成される。この際、襞布５にズボン本体１の生地とは異なる彩色のものを用いたものは、ズボン裾部に意匠的アクセントが付与されるものとなり、着用にバリエーションをもたらされる。
【実施例２】
【００１５】
図３は、本考案に係る作業用ズボンの別の実施の形態を示すものであり、該作業用ズボンの内股側裾部の部分斜視図である。図に示す如く、本実施例に於ける作業用ズボンは、襞布にメッシュ生地５ａを用いる以外は、上記実施例１と同様にして形成される。
【図面の簡単な説明】
【００１６】
【図１】本考案に係る作業用ズボンの正面図である。
【図２】図１の作業用ズボンの要部の使用状態を示すものであり、Ａは裾部に設けられたファスナーを閉じた場合の状態説明図であり、Ｂはこのファスナーを開放した場合の状態説明図である。
【図３】本考案に係る作業用ズボンの別の実施形態を示す要部説明図である。
【符号の説明】
【００１７】
１      ズボン本体
２      ファスナー
３      筒部
４      スリット
５      襞布
５ａ    メッシュ生地（襞布）
【図１】
0003102216.tif 000003
【図２】
0003102216.tif 000004
【図３】
0003102216.tif 000005